(57)【特許請求の範囲】
【請求項１】
互いに差し込まれた複数の四半紙を有する種々の印刷シートから本ブロックを製造するための方法であって、印刷シートは順次搬送区間に沿って給紙部のグリッパによって印刷シートスタックから折り目前端を引き出されかつ続いて本ブロックに丁合される、前記方法において、
印刷シートを近似的に折り目で把持するグリッパが、四半紙を少なくとも部分的に貫通する変形又は傷付け部をあとに残すことを特徴とする前記方法。
【請求項２】
印刷シートの変形又は傷付けが、製本の前に分離されるべき折り目細長片において実施される、請求項１記載の方法。
【請求項３】
変形−、打抜き−又は鑽孔工具によって傷付けが実施される、請求項１又は２に記載の方法。
【請求項４】
印刷シートの１つの脚部を形成する四半紙の側部分が、変形又は傷付けを受ける請求項１から３までのうちのいずれか一項に記載の方法。
【請求項５】
印刷シートの変形又は傷付けが折り目傾斜部で行われる、請求項２から４までのうちのいずれか一項に記載の方法。
【請求項６】
印刷シート（２）の本ブロックへの丁合のために搬送区間に沿って配設され、制御されるグリッパ（４）を有する印刷シート供給装置（１）を備えた、請求項１に記載の方法を実施するための装置において、
グリッパ（４）が印刷シート（２）を折り目領域で変形し又は傷つける工具（２０）によって形成されていることを特徴とする前記装置。
【請求項７】
グリッパ（４）として形成され、２つの挟持部材（６、７）を有するグリッパ挟持部材を備えた、請求項６記載の装置において、少なくとも1 つの挟持部材（６、７）が、折り目領域で印刷シート（２）を変形し又は傷つける工具（２０）によって形成されていることを特徴とする前記装置。
【請求項８】
鑽孔、打抜き又は突出しのための工具（２０）が形成されている、請求項７記載の装置。
【発明の詳細な説明】
【０００１】
【発明の属する技術分野】
本発明は、互いに差し込まれた複数の四半紙（Ｖｉｅｒｔｅｌｂｏｇｅｎ）を有する種々の印刷シートから本ブロックを製造するための方法であって印刷シートは順次搬送区間に沿って給紙部のグリッパによって印刷シートスタックから折り目前端を引き出されかつ続いて本ブロックに丁合される前記方法に関する。
【０００２】
【従来の技術】
この方法で、特に本ブロックが丁合機械で接着製本のために準備される。丁合機械を例えばドイツ国特許明細書第３１２６７６９号が開示する。丁合機械は搬送装置に沿って配設された複数の給紙ステーションから成り、給紙ステーションはマガジンにスタックされた印刷シートを回転するグリッパドラムによって折り目側で個々に把持しかつ移動させる。搬送装置にその搬送ストリームに対して略直角に達する印刷シートは引っ張り手段に回転する連通体によって給紙ステーションから給紙ステーションに搬送し、そこで所望の本ブロック分が集まるまで間、それぞれ他の印刷シートが供給される。
【０００３】
互いに差し込まれた四半紙から形成された印刷シートの処理は、３つの開放された側縁を有し、−四半紙はタブロイド紙とも称される−、度々受け渡し個所でのその移動の方向変更によって搬送装置の連行体が困難に遭遇する。印刷シートが折り目に対して垂直の移動方向から折り目に対して平行な移動方向に変わる急な方向変更によって、個々の四半紙について、特に四半紙が軽い紙から成る場合、進行する処理プロセスにおいて最早修正されない相互の移動を生じ得る。特に上方に位置する印刷シートの四半紙が緩い支持のために持ち上がる傾向にありかつ特に周囲空気によって搬送方向において他の印刷シートに対して移動され得る。これらの不規則性は不良品に繋がりかつ処理を不許容なものにする。
【０００４】
【発明が解決しようとする課題】
本発明は、冒頭に記載された種類の本ブロックの製造のための方法を、上記の欠点が進んで除去されるように改良することである。
【０００５】
【課題を解決するための手段】
この課題は、本発明によれば印刷シートを近似的に少なくとも部分的に折り目で把持するグリッパは四半紙を部分的に貫通する変形又は傷付け部をあとに残し、その結果該当する四半紙が相互に固定されて相互の移動が阻止される。
有利に変形又は傷付けは、印刷シートの後からの製本の前に分離される折り目細長片において実施され、それによって傷付けられた跡が製本された本ブロックには残らない。
【０００６】
好ましくは印刷シートの傷付けは変形−、打抜き−、又は鑽孔工具又は他の、四半紙を形状一体的に結合する工具によって行われることができる。
好適な方法で、印刷シートの一方の脚部を結合する少なくとも２つの四半紙が変形又は傷付けられ、その結果少なくとも一面での結合が行われる。
合理的な方法で印刷シートの折り目傾斜部に変形又は傷付けが行われることができる。
【０００７】
本発明による方法の実施のために搬送区間に沿う印刷シートの丁合の際に、制御されたグリッパを備えた印刷シート給紙部が実証され、グリッパは折り目領域での把持の際に印刷シートを傷つける工具によって形成されている。制御されるグリッパ挟持部材の形成のための２つの挟持部材を有するグリッパでは好ましくは少なくとも1 つの挟持部材が折領域領域において印刷シートを傷つける工具によって、例えば印刷シートに差し込み可能な針又は歯によって形成されており、針又は歯は把持の際に四半紙を結合すべき変形又は傷つけを行う。
【０００８】
変形又は傷付けは、互いに差し込まれた四半紙の鑽孔又は四半紙から部分の打抜き又は四半紙の突出しによって行われる。
続いて本発明を、明細書中に詳しく説明してない全ての詳細について表されている図面を参照して、実施例に基づいて説明する。
【０００９】
【実施例】
図１は、折られた印刷シート２及び折られてない印刷シート２、特に複数の相互に差し込まれた四半紙から形成された印刷シートを図示しない搬送装置の搬送区間に供給するための印刷シート供給装置１を表わす。図示の印刷シート供給装置１は周囲に配設された１つの又は複数のグリッパ４を備えた搬送ロータ３を有し、その中通常の方法で２つのグリッパが回転軸線８を有する搬送ロータ３の幅に亘って設けられている。グリッパ４は挟持部材状に協働する挟持部材６、７によって形成されており、その中挟持部材７は回転方向Ｄにおいて後続する。この実施形態、挟持部材は軸９に、その軸線１０のまわりに旋回可能に固定されかつ制御手段（図示しない）によって開放又は閉鎖位置に変位可能である。
【００１０】
図示のグリッパ４は下方に、部分的にスタックから持ち上げられた印刷シート２を持ち上げ又は搬送ロータ３の略上方に配設されたマガジン１１から引き出す。互いに差し込まれた複数の四半紙から成る印刷シート２はそこでスタック状に互いに整列されかつマガジン底１２上に置かれる。グリッパ４の吸引運動によって制御される背保持爪１３は分離面にマガジン底１２と同列の印刷シートスタックを裏から保持し、その際折り目を備えた印刷シート２は下方に斜めに向いたマガジン１１の側壁１４上に立っている。マガジン底１２の下に背保持爪１３と搬送ドラム３又はグリッパ４のタクトで協働する分離装置１５が配設されており、分離装置は背保持爪１３が戻された状態で最下位の印刷シート２を印刷シートスタック５から部分的に持ち上げる。図１には、印刷シートは旋回可能な吸引装置１６によって既に把持されておりかつ背保持爪１３はその運転位置に戻されている。図示のグリッパ４は、丁度、吸引装置１６によって部分的に印刷シートスタック５から持ち上げされた印刷シート２を折り目近くで把持し、その際尚マガジン１１内に保持された印刷シート２の自由端は挟持部材６、７の間に阻害なしに位置しかつ受け渡し個所への途中にある位置に達する。そこで挟持部材６、７は閉じかつその更なる運動中印刷シート２をマガジン１１から引き出し、マガジン底１２と残っている印刷シートスタック５との間から引出す。
【００１１】
印刷シート２の受け渡しから略１８０°だけ搬送ロータ３の回転運動後、挟持部材６、７はグリッパ４を開放しかつ印刷シート２は移動され、搬送ロータ３によって駆動されて略搬送方向に対して垂直に搬送装置の搬送区間で連行体によって把持されて、本ブロックの形成のために集められかつ更に搬送される。この経過はドイツ国特許明細書第３１２６７６９から読み取られる。搬送区間への進入の際に印刷シート２の方向変更によって連行体は印刷シート２にある四半紙上に加速力をもたらし、四半紙は連行体の下で折り目に対して平行な移動を行い得る。四半紙の下方への移動の阻止のためにグリッパ４は、印刷シート２を折り目領域において傷つけ、四半紙を貫通する工具２０によって形成されている。図１は工具２０として使用される尖った歯を示し、歯はグリッパ４の閉鎖の際に印刷シート２中に差し込まれかつ四半紙はばり形成又は紙繊維の互いの絡み合いによって互いに固定される。勿論四半紙を変形によって相互に結合する、鈍角の変形手段を備えた工具２０も使用されることができる。
【００１２】
図２は折り目に互いに差し込まれた複数の四半紙１９から形成される印刷シート２であって、三側縁の開いたタブロイドとも称されるものを示す。印刷シート２の折り目領域に四半紙１９の折り目から形成される印刷シート折り目が印刷シート２の偏平側に対して略垂直の方向に向いていてその横断面は図３に示される２つの貫通突き刺し孔１８が示される。その際貫通突き刺し孔１８のばり形成の他に個々の四半紙１９の間に、貫通突き刺し孔１８が折り目傾斜部にありかつ３つの最も内方の四半紙１９が貫通突き刺し孔１８によって直接把持されていないことが明らかである。工具２０の貫通孔あけは、四半紙１９の圧縮を作用し、その結果内方に位置する四半紙１９の間の、四半紙の下での移動効果を阻止する、高い摩擦が生じる。この状況は例えば狭い折り目裁断の際に本ブロック背の接着の前に有利に利用される。印刷シート２の裁断は図２及び図３中の一点鎖線１７によって表される。
【００１３】
図４は印刷シート２の折り目傾斜部における工具２０によってあとに残される差し込み孔２１を示す。
図５〜図７において図２〜図４に表されたものよりも幅の広い折り目裁断１７を示し、そして貫通突き刺し孔１８又は差し込み孔２１は四半紙１９から成る印刷シート２の平行領域に設けられている。
【００１４】
印刷シート２の中央における図７による差し込み孔２１は、印刷シート半紙における四半紙１９の進んだ固定を表わす。図８中の印刷シート２は打抜き工具２０によって取り扱われ、印刷シート２の折目は場所的に三角形状に切り離されている。かかる又は類似の凹部２２は貫通差し込み孔１８又は差し込み孔２１と略同様な構造を有する。縁に形成された突出するばりによって紙繊維の絡み合い又は四半紙１９を互いに拘束する四半紙１９の互いのフックが形成する。
【００１５】
図９は、略垂直の平面図による凹部２２の形状を示し、図９から上方に実施される打抜き運動は槽状の凹部の形でも実効可能である。
図１０は、分離されるべき折り目細長片の内方で終わる、印刷シート２の全ての四半紙１９を把持する凹部２２を表わす。
【図面の簡単な説明】
【図１】図１は印刷シート供給装置の側面図である。
【図２】図２は印刷シートの斜視図である。
【図３】図３は図２に表わす印刷シートの縦断面平面における破断図である。
【図４】図４は図３に対する選択的な実施形態の縦断面平面における破断図である。
【図５】図５は図２に対する選択的な実施形態の斜視図である。
【図６】図６は図５に示す印刷シートの縦断面平面における破断図である。
【図７】図７は図６に対する選択的な実施形態の破断図である。
【図８】図８は図２、図５に対する印刷シートの選択的な実施形態の斜視図である。
【図９】図９は印刷シート背の正面図の破断図である。
【図１０】図１０は図９のＡ−Ａ線に沿う破断図で示す縦断面図である。
【符合の説明】
１    印刷シートホルダ
２    印刷シート
４    グリッパ
６    挟持部材
７    挟持部材
２０    工具
【図１】
0004093645.tif 000002
【図２】
0004093645.tif 000003
【図３】
0004093645.tif 000004
【図４】
0004093645.tif 000005
【図５】
0004093645.tif 000006
【図６】
0004093645.tif 000007
【図７】
0004093645.tif 000008
【図８】
0004093645.tif 000009
【図９】
0004093645.tif 000010
【図１０】
0004093645.tif 000011